(57)【特許請求の範囲】
【請求項１】
基板に設けられ、径方向の位置情報が記録された複数のガイド層を有するガイド層群、及び、前記基板に設けられ、情報を記録可能な複数の記録層を有する多層光記録媒体を回転させるスピンドル装置と、
前記スピンドル装置により回転する前記多層光記録媒体と対向する対物レンズ、前記対物レンズを前記径方向の任意の位置に駆動する駆動手段、前記ガイド層及び前記記録層にそれぞれ供給される異なる波長のレーザ光を出射する供給源、前記ガイド層及び前記記録層で反射された前記レーザ光を受光する受光素子、並びに、前記レーザ光を前記対物レンズ及び前記受光素子に案内するとともに、前記レーザ光のフォーカシング及びトラッキングが可能なレンズ装置を具備する光学装置と、
前記光学装置により前記レーザ光を前記記録層に照射することで前記ガイド層及び前記記録層に照射された前記レーザ光の反射光により前記ガイド層及び前記記録層に記録された情報の再生が可能に形成され、前記ガイド層に記憶された前記位置情報を再生するとともに、前記記録層の前記径方向の複数の位置における、前記ガイド層に記録された前記位置情報と対応する前記記録層の位置情報、並びに、前記複数の位置において前記ガイド層及び前記記録層の前記レーザ光の反射光量が最大となる前記光学装置の制御情報を導出し、前記導出された前記径方向の複数の位置における前記制御情報の差から、前記多層光記録媒体の反り量を導出する制御装置と、
を備えることを特徴とするドライブ装置。
【請求項２】
前記制御装置は、前記多層光記録媒体の再生及び記録な反り量の閾値が記憶された記憶部を備え、
前記制御部は、導出された前記反り量及び前記閾値を比較し、前記反り量が前記閾値の範囲内であるときは、前記多層光記録媒体の反り量が前記多層光記録媒体の再生及び記録可能な反り量であると判断することを特徴とする請求項１に記載のドライブ装置。
【請求項３】
前記制御装置は、
前記光学装置により前記レーザ光を前記記録層に照射することで、前記記録層に情報を記録可能に形成され、
前記導出された前記記録層の前記位置情報及び前記制御情報を、前記光学装置により前記記憶層の前記径方向の複数の位置にそれぞれ記録することを特徴とする請求項１に記載のドライブ装置。
【請求項４】
前記制御装置は、前記記録層に記録された複数の前記制御情報の差から、前記多層光記録媒体の反り量を導出することを特徴とする請求項３に記載のドライブ装置。
【請求項５】
前記制御装置は、
前記ガイド層及び前記記録層に記録された前記位置情報を再生するときに、前記ガイド層で前記レーザ光の反射光量が最大となる前記光学装置の制御情報を前記複数の位置においてそれぞれ導出し、
前記位置情報を再生するときに導出した複数の前記制御情報の差から、前記多層光記録媒体の反り量を導出し、
前記記録層に記録された複数の前記制御情報の差から導出した前記多層光記録媒体の反り量と前記位置情報を再生するときに導出した前記多層光記録媒体の反り量から、前記反り量の変化量を導出することを特徴とする請求項４に記載のドライブ装置。
【請求項６】
前記多層光記録媒体の再生及び記録が可能な反り量の閾値が記憶された記憶部を備え、
前記制御部は、導出した前記反り量の変化量及び前記閾値を比較し、前記反り量の変化量が前記閾値の範囲内であるときは、前記多層光記録媒体の再生及び記録が可能と判断することを特徴とする請求項５に記載のドライブ装置。
【請求項７】
基板に設けられ、径方向の位置情報が記録されるとともに、光学装置から照射されたレーザ光を反射することで、記録された前記位置情報の再生が可能な複数のガイド層を有するガイド層群、並びに、前記基板に設けられ、情報の記録が可能な複数の記録層を有するとともに、前記記録層の前記径方向の複数の位置に、前記ガイド層に記録された前記径方向の位置情報と対応する前記記録層の位置情報、及び、前記径方向の複数の位置において前記ガイド層及び前記記録層の前記レーザ光の反射光量が最大となる前記光学装置の制御情報が記録された記録層群を具備する多層光記録媒体をスピンドル装置により回転させること、
基板に設けられ、径方向の位置情報が記録されるとともに、光学装置から照射されたレーザ光を反射することで、記録された前記位置情報の再生が可能な複数のガイド層を有するガイド層群、及び、前記基板に設けられ、情報を記録可能な複数の記録層を有する多層光記録媒体をスピンドル装置により回転させること、
前記光学装置により前記記録層に照射した前記レーザ光の反射光により、前記位置情報を再生すること、
前記記録層の前記径方向の複数の位置における、前記ガイド層に記録された前記位置情報と対応する前記記録層の位置情報、並びに、前記複数の位置において前記ガイド層の前記レーザ光の反射光量が最大となる前記光学装置の制御情報を導出すること、
導出した前記複数の位置の前記制御情報の差から、前記多層光記録媒体の反り量を導出すること、及び
前記多層光記録媒体の再生及び記録が可能な反り量の閾値が記憶された記憶部の前記閾値及び導出した前記反り量の変化量を比較し、前記反り量の変化量が前記閾値の範囲内であるときは、前記多層光記録媒体の再生及び記録が可能と判断する、
ことを特徴とする多層光記憶媒体の検査方法。
【発明の詳細な説明】
【技術分野】
【０００１】
本発明の実施形態は、多層光記録媒体、ドライブ装置及び光記録媒体の検査方法に関する。
【背景技術】
【０００２】
従来、光記録媒体として、ＤＶＤ(Digital Versatile Disc)やＢＤ（Blu-ray Disc)等の光ディスクが知られている。このような光記録媒体は、情報の再生、又は、情報の再生及び記録が可能に形成されている。光記録媒体は、レーザ波長の短波長化と対物レンズの高ＮＡ化、高密度記録に適した記録媒体材料の使用、及び、再生信号処理のノイズ対策等により記録層における記録密度を高める技術が知られている。
【０００３】
また、記録密度を高める技術として、ガイド層及び記録層が多層化された多層光記録媒体や、この多層光記録媒体の記録又は再生等を行うドライブ装置が知られている。
【０００４】
しかし、多層化された多層光記録媒体では、温湿度などの環境の変化や、経年変化により、内部応力による反りが発生することがある。当該反りが発生すると、多層光記録媒体は、無記録の領域の発生や、記録済みの領域等を上書きする等、その機能が損失する虞がある。
【先行技術文献】
【特許文献】
【０００５】
【特許文献１】特開２００６−１８８８４号公報
【発明の概要】
【発明が解決しようとする課題】
【０００６】
本発明が解決しようとする課題は、反りを検出可能な多層光記録媒体、ドライブ装置及び光記録媒体の検査方法を提供することにある。
【課題を解決するための手段】
【０００７】
実施形態のドライブ装置は、基板に設けられ、径方向の位置情報が記録された複数のガイド層を有するガイド層群、及び、前記基板に設けられ、情報を記録可能な複数の記録層を有する多層光記録媒体を回転させるスピンドル装置と、前記スピンドル装置により回転する前記多層光記録媒体と対向する対物レンズ、前記対物レンズを前記径方向の任意の位置に駆動する駆動手段、前記ガイド層及び前記記録層にそれぞれ供給される異なる波長のレーザ光を出射する供給源、前記ガイド層及び前記記録層で反射された前記レーザ光を受光する受光素子、並びに、前記レーザ光を前記対物レンズ及び前記受光素子に案内するとともに、前記レーザ光のフォーカシング及びトラッキングが可能なレンズ装置を具備する光学装置と、前記光学装置により前記レーザ光を前記記録層に照射することで前記ガイド層及び前記記録層に照射された前記レーザ光の反射光により前記ガイド層及び前記記録層に記録された情報の再生が可能に形成され、前記ガイド層に記憶された前記位置情報を再生するとともに、前記記録層の前記径方向の複数の位置における、前記ガイド層に記録された前記位置情報と対応する前記記録層の位置情報、並びに、前記複数の位置において前記ガイド層及び前記記録層の前記レーザ光の反射光量が最大となる前記光学装置の制御情報を導出し、前記導出された前記径方向の複数の位置における前記制御情報の差から、前記多層光記録媒体の反り量を導出する制御装置と、を備える。
【図面の簡単な説明】
【０００８】
【図１】一実施形態に係る多層光記録媒体の構成を示す平面図。
【図２】同多層光記録媒体の要部構成を示す断面図。
【図３】同多層光記録媒体の要部構成の一例を模式的に示す断面図。
【図４】同多層光記録媒体に用いられるドライブ装置の構成を示す説明図。
【図５】同ドライブ装置を用いた多層光記録媒体への記録方法の一例を示す流れ図。
【図６】同ドライブ装置を用いた多層光記録媒体の反り量の検出方法の一例を示す流れ図。
【発明を実施するための形態】
【０００９】
以下、本実施形態に係る多層光記録媒体１００、ドライブ装置１及び多層光記録媒体１００の検査方法を、図１乃至図６を用いて説明する。  
図１は一実施形態に係る多層光記録媒体１００の構成を示す平面図、図２は多層光記録媒体１００の要部構成、具体的には図１中ＩＩ−ＩＩ断面でガイド層群１１１及び記録層群１１２の構成を示す断面図、図３は多層光記録媒体１００要部構成、具体的には、多層光記録媒体１００の位置Ｐ１における第２ガイド層１２２及び第１０記録層１４０の符号Ｃｇ１及び符号Ｃｒ１の一例を模式的に示す断面図、図４は多層光記録媒体１００に用いられるドライブ装置１の構成を示す説明図、図５はドライブ装置１を用いた多層光記録媒体１００への記録方法の一例を示す流れ図、図６はドライブ装置１を用いた多層光記録媒体１００の反り量の検出方法の一例を示す流れ図である。
【００１０】
（多層光記録媒体１００）
多層光記録媒体１００は、ドライブ装置１等により情報の記録及び再生が可能に形成されている。図１に示すように、多層光記録媒体１００は、円盤状に形成され、その中心にドライブ装置１等に固定される支持領域であるクランプ部１０１と、情報を記録する記録領域１０２と、を有している。クランプ部１０１は、その中心に孔部１０１ａが形成されている。
【００１１】
図２に示すように、多層光記録媒体１００は、基板１１０と、ガイド層群１１１と、記録層群１１２と、カバー層１１３と、を備えている。多層光記録媒体１００は、基板１１０に、ガイド層群１１１、記録層群１１２及びカバー層１１３が順次設けられる。
【００１２】
基板１１０は、ポリカーボネート等の樹脂材料により形成され、その中心にクランプ部１０１が形成されている。基板１１０は、記録領域１０２において、ガイド層群１１１、記録層群１１２及びカバー層１１３を支持可能に形成されている。
【００１３】
ガイド層群１１１は、基板１１０に設けられ、ドライブ装置１の後述する光学装置４の径方向の位置決めを行う複数のガイド層により構成されている。なお、径方向とは、多層光記録媒体１００の径方向である。
【００１４】
ガイド層群１１１のガイド層は、例えば、同心円状又は螺旋状の溝構造に形成され、回折光を伴う光の反射のある列を有している。具体的には、図２に示すように、ガイド層群１１１は、基板１１０側から第１ガイド層１２１及び第２ガイド層１２２を備えている。
【００１５】
第１ガイド層１２１及び第２ガイド層１２２は、それぞれ凹部であるランド、及び、凸部であるグルーブが形成された溝構造を有し、光学装置４の位置決めを行うトラック位置の情報が記録されている。
【００１６】
トラック位置とは、例えば、多層光記録媒体１００のトラックの位置を表すトラック番号等であり、第１ガイド層１２１及び第２ガイド層１２２には、トラック位置の情報である複数の符号Ｃｇが記録されている。
【００１７】
記録層群１１２は、それぞれ情報を記録可能な複数の記録層からなる。例えば、記録層群１１２は、基板１１０側から、第１記録層１３１と、第２記録層１３２と、第３記録層１３３と、第４記録層１３４と、第５記録層１３５と、第６記録層１３６と、第７記録層１３７と、第８記録層１３８と、第９記録層１３９と、第１０記録層１４０と、を備えている。
【００１８】
第１記録層１３１、第３記録層１３３、第５記録層１３５、第７記録層１３７、第９記録層１３９は、例えば、その径方向の位置が、第１ガイド層１２１のトラック位置の情報に基づいて位置決めされる。また、第２記録層１３２、第４記録層１３４、第６記録層１３６、第８記録層１３８、第１０記録層１４０は、例えば、その径方向の位置が、第２ガイド層１２２のトラック位置の情報に基づいて位置決めされる。
【００１９】
また、記録層群１１２は、その一部に、後述するドライブ装置１により、トラック情報１５０が記録される。カバー層１１３は、光透過性材料からなり、記録層群１１２の保護を行う。
【００２０】
トラック情報１５０は、多層光記録媒体１００の径方向の複数箇所（ｎ箇所）の任意の位置Ｐ１乃至位置Ｐｎであって、記録層群１１２の第１記録層１３１乃至第１０記録層１４０のいずれかに設けられた、多層光記録媒体１００のトラックの情報である。トラック情報１５０は、複数の任意の位置Ｐ１乃至位置Ｐｎにそれぞれ設けられた第１トラック情報１５１乃至第ｎトラック情報を備えている。
【００２１】
例えば、トラック情報１５０は、図１に示すように、第１０記録層１４０に記録され、多層光記録媒体１００の径方向の三箇所（ｎ＝３）の任意の位置Ｐ１乃至位置Ｐ３に第１トラック情報１５１乃至第３トラック情報１５３がそれぞれ設けられる。
【００２２】
また、任意の位置Ｐ１乃至位置Ｐ３（位置Ｐｎ）は、外部から任意に入力される複数の位置であってもよく、また、多層光記録媒体１００又はドライブ装置１に予め設定された複数の位置であってもよい。
【００２３】
例えば、トラック情報１５０が設けられる第１０記録層１４０の任意の位置Ｐ１乃至Ｐ３は、例えば、図１に示すように、基板１１０のクランプ部１０１に近接する位置、基板１１０の外周縁に近接する位置、及び、クランプ部１０１に近接する位置と基板１１０の外周縁に近接する位置との中間位置の３箇所に設けられる。
【００２４】
本実施の形態においては、基板１１０のクランプ部１０１側から外周縁側に向かって順に位置Ｐ１、位置Ｐ２及び位置Ｐ３が設けられ、これら位置Ｐ１乃至位置Ｐ３に、それぞれ第１トラック情報１５１、第２トラック情報１５２及び第３トラック情報１５３が設けられる。
【００２５】
第１トラック情報１５１乃至第３トラック情報１５３は、各任意の位置Ｐ１乃至位置Ｐ３の所定の範囲における、第１ガイド層１２１又は第２ガイド層１２２いずれか一方のトラック位置に基づいた記録層群１１２の位置情報が記録されている。
【００２６】
本実施の形態においては、トラック情報１５０は、第１０記録層１４０に記録される構成を説明することから、第１トラック情報１５１乃至第３トラック情報１５３は、第２ガイド層１２２のトラック位置の情報に基づいて第１０記録層１４０に設けられる。
【００２７】
第１トラック情報１５１乃至第３トラック情報１５３は、任意の位置Ｐ１乃至位置Ｐ３における第２ガイド層１２２の所定の範囲の符号Ｃｇに対応する第１０記録層１４０の符号Ｃｒが第１０記録層１４０に記録されることで構成される。符号Ｃｒは、第１トラック情報１５１に記録された、位置Ｐ１において符号Ｃｇに対応する符号Ｃｒ１と、第２トラック情報１５２に記録された、位置Ｐ２において符号Ｃｇに対応する符号Ｃｒ２と、第３トラック情報１５３に記録された、位置Ｐ３において符号Ｃｇに対応する符号Ｃｒ３と、を備えている。
【００２８】
図３の一例を用いて説明すると、例えば、任意の位置Ｐ１の所定の領域２００の第２ガイド層１２２には、トラック位置の情報として、複数の符号Ｃｇに２１〜２７の符号が付されているとする。この場合には、第１トラック情報１５１は、符号Ｃｇの２１〜２７に対応する符号Ｃｒ１として、符号Ｃｇの下一桁の整数である１〜７が記録される。このように、第１トラック情報１５１乃至第３トラック情報１５３は、各位置Ｐ１乃至位置Ｐ３の所定の範囲内の第２ガイド層１２２の複数の符号Ｃｇから一意に導出される複数の符号Ｃｒを導出することで求められる。
【００２９】
また、トラック情報１５０は、任意の位置Ｐ１乃至位置Ｐ３において、第２ガイド層１２２でレーザ光９８の反射する光量が最大値となるトラッキング制御の指令値Ｖｇ及び第１０記録層１４０でレーザ光９９の反射する光量が最大値となるトラッキング制御の指令値Ｖｒがそれぞれ記録される。
【００３０】
なお、ここで、指令値Ｖｇ及び指令値Ｖｒとは、後述するドライブ装置１の制御装置５により光学装置４が第２ガイド層１２２のトラッキング制御及び第１０記録層１４０のトラッキング制御を行う指令である。指令値Ｖｇ及び指令値Ｖｒは、例えば、電圧等のディジタル信号であり、その詳細はドライブ装置１の構成により適宜設定可能である。
【００３１】
（ドライブ装置１）
ドライブ装置１は、多層光記録媒体１００のドライブとして、多層光記録媒体１００に情報を記録可能、且つ、多層光記録媒体１００に記録された情報を再生可能に形成されている。
【００３２】
図４に示すように、ドライブ装置１は、多層光記録媒体１００を回転させるスピンドル装置３と、レーザ光を照射可能な光学装置４と、スピンドル装置３及び光学装置４を制御する制御装置５と、を備えている。
【００３３】
スピンドル装置３は、ディスククランプ１１と、スピンドルモータ１２と、ロータリーエンコーダ１３と、を備えている。ディスククランプ１１は、多層光記録媒体１００のクランプ部１０１の孔部１０１ａに嵌合することで、多層光記録媒体１００を支持可能に形成されている。スピンドルモータ１２は、ディスククランプ１１で支持した多層光記録媒体１００を回転可能に形成されている。ロータリーエンコーダ１３は、スピンドルモータ１２の回転角度及び回転数を検出可能に形成されている。
【００３４】
光学装置４は、送り装置２１と、対物レンズ装置（レンズ装置）２２と、レーザ光９８を出射可能なガイド層光学装置２３と、レーザ光９９を出射可能な記録層光学装置２４と、ダイクロイックミラー（ＤＭ）２５と、を備えている。
【００３５】
送り装置２１は、対物レンズ装置２２、ガイド層光学装置２３、記録層光学装置２４及びＤＭ２５を支持可能に形成された支持体３１と、支持体３１をディスククランプ１１に支持された多層光記録媒体１００の径方向に移動させる駆動手段である送りモータ３２と、を備えている。
【００３６】
対物レンズ装置２２は、ガイド層光学装置２３及び記録層光学装置２４から入射されたレーザ光９８，９９を収束可能に形成された対物レンズ３４と、対物レンズ３４を通過するレーザ光９８，９９のフォーカスを調整する第１アクチュエータ３５と、対物レンズ３４を通過するレーザ光９８，９９が照射する径方向の位置を調整する第２アクチュエータ３６と、を備えている。
【００３７】
対物レンズ３４は、ディスククランプ１１に支持された多層光記録媒体１００のカバー層１１３と対向して配置される。対物レンズ３４は、供給されたレーザ光９８，９９を同一の光軸により出射する。
【００３８】
第１アクチュエータ３５は、対物レンズ３４を駆動することで、対物レンズ３４によるレーザ光９８，９９の収束を調整する、所謂フォーカシングが可能に形成されている。第１アクチュエータ３５は、対物レンズ３４を駆動することで、ガイド層群１１１及び記録層群１１２の任意の層にレーザ光９８，９９を照射させる。
【００３９】
第２アクチュエータ３６は、対物レンズ３４を駆動することで、対物レンズ３４の径方向の位置を調整する、所謂トラッキングが可能に形成されている第２アクチュエータ３６は、対物レンズ３４を駆動することで、レーザ光９８，９９が照射する径方向の位置を調整する。
【００４０】
ガイド層光学装置２３は、ガイド層光源３７と、コリメータレンズ３８と、偏光ビームスプリッタ（ＰＢＳ）３９と、ガイド層レンズ装置（レンズ装置）４０と、集光レンズ４１と、受光素子４２と、を備えている。ガイド層光学装置２３は、ガイド層群１１１のいずれかの層にレーザ光９８を供給するとともに、ガイド層群１１１のいずれかの層から反射されたレーザ光９８を受信可能に形成されている。
【００４１】
ガイド層光源３７は、発信素子を有し、レーザ光９８を発信素子から出射可能に形成されたレーザ光９８の供給源である。ガイド層光源３７で出射されるレーザ光９８は、その波長が記録層光源４７で出射されるレーザ光９９の波長よりも長く形成されている。レーザ光９８は、例えば赤色レーザである。コリメータレンズ３８は、ガイド層光源３７から出射されたレーザ光９８を平行光に変換可能に形成されている。
【００４２】
ＰＢＳ３９は、レーザ光９８を反射又は透過可能に形成されている。ＰＢＳ３９は、コリメータレンズ３８で変換された平行光のレーザ光９８を、そのままＤＭ２５に供給可能に形成されている。また、ＰＢＳ３９は、ＤＭ２５から供給された平行光のレーザ光９８を、集光レンズ４１に供給可能に形成されている。
【００４３】
ガイド層レンズ装置４０は、ＰＢＳ３９及びＤＭ２５間を通過するレーザ光９８のフォーカシング及びトラッキングが可能に形成されている。ガイド層レンズ装置４０は、ＰＢＳ３９又はＤＭ２５から供給された平行光のレーザ光９８を通過させるガイド層レンズ４４と、ガイド層レンズ４４のフォーカシングを行う第３アクチュエータ４５と、ガイド層レンズ４４のトラッキングを行う第４アクチュエータ４６と、を備えている。
【００４４】
集光レンズ４１は、ＤＭ２５からガイド層レンズ装置４０及びＰＢＳ３９を介して供給された平行光のレーザ光９８を収束し、受光素子４２に出射する。
【００４５】
受光素子４２は、集光レンズ４１で収束されたレーザ光９８を受光し、受光したレーザ光９８に基づいて、ガイド層群１１１のいずれかの層に記録された情報を信号に変換する。
【００４６】
記録層光学装置２４は、記録層光源４７と、コリメータレンズ４８と、偏光ビームスプリッタ（ＰＢＳ）４９と、記録層レンズ装置（レンズ装置）５０と、集光レンズ５１と、受光素子５２と、を備えている。記録層光学装置２４は、記録層群１１２のいずれかの層にレーザ光９９を供給するとともに、記録層群１１２のいずれかの層から反射されたレーザ光９９を受信可能に形成されている。
記録層光源４７は、発信素子を有し、レーザ光９９を発信素子から出射可能に形成された、レーザ光９９の供給源である。また、記録層光源４７は、ガイド層群１１１のいずれかの層に記録された情報の再生時、及び、記録層群１１２のいずれかの層への情報の記録時に、異なる出力値でレーザ光を出射可能に形成されている。なお、再生時のレーザ光９９は、記録時のレーザ光９９よりも弱い出力値である。
【００４７】
記録層光源４７で出射されるレーザ光９９は、その波長がガイド層光源３７で出射されるレーザ光９８の波長よりも短く形成されている。レーザ光９９は、例えば青色レーザである。コリメータレンズ４８は、記録層光源４７から出射されたレーザ光９９を平行光に変換可能に形成されている。
【００４８】
ＰＢＳ４９は、レーザ光９９を反射又は透過可能に形成されている。ＰＢＳ４９は、コリメータレンズ４８で変換された平行光のレーザ光９９を、そのままＤＭ２５に供給可能に形成されている。また、ＰＢＳ４９は、ＤＭ２５から供給された平行光のレーザ光９９を、集光レンズ５１に供給可能に形成されている。
【００４９】
記録層レンズ装置５０は、ＰＢＳ４９及びＤＭ２５間を通過するレーザ光９９のフォーカシング及びトラッキングが可能に形成されている。記録層レンズ装置５０は、ＰＢＳ４９又はＤＭ２５から供給された平行光のレーザ光９９を通過させる記録層レンズ５４と、記録層レンズ５４のフォーカシングを行う第５アクチュエータ５５と、記録層レンズ５４のトラッキングを行う第６アクチュエータ５６と、を備えている。
【００５０】
集光レンズ５１は、ＤＭ２５から記録層レンズ装置５０及びＰＢＳ４９を介して供給された平行光のレーザ光９９を収束し、受光素子５２に出射する。
【００５１】
受光素子５２は、集光レンズ５１で収束されたレーザ光９９を受光し、受光したレーザ光９９に基づいて、記録層群１１２のいずれかの層に記録された情報を信号に変換する。
【００５２】
ＤＭ２５は、ガイド層光学装置２３及び記録層光学装置２４から供給されたレーザ光９８，９９を、対物レンズ３４に供給可能に、レーザ光９８，９９を反射及び透過可能に形成されている。また、ＤＭ２５は、多層光記録媒体１００で反射されたレーザ光９８，９９を、ガイド層光学装置２３及び記録層光学装置２４に供給可能に形成されている。
【００５３】
制御装置５は、スピンドルモータ制御部６１と、送りモータ制御部６２と、対物レンズ制御部６３と、ガイド層制御部６４と、記録層制御部６５と、信号バス６６と、主制御部６７と、を備えている。
【００５４】
スピンドルモータ制御部６１は、スピンドルモータ１２及びロータリーエンコーダ１３に接続され、スピンドルモータ１２の駆動を制御することで、ディスククランプ１１に支持された多層光記録媒体１００の回転数を制御可能に形成されている。
【００５５】
送りモータ制御部６２は、送りモータ３２に接続され、送りモータ３２の駆動を制御することで、支持体３１に支持された対物レンズ３４の移動距離を制御可能に形成されている。
【００５６】
対物レンズ制御部６３は、第１アクチュエータ３５を制御する第１制御部７１と、第２アクチュエータ３６を制御する第２制御部７２と、を備えている。第１制御部７１は、第１アクチュエータ３５を制御することで、対物レンズ３４のフォーカシングを制御可能に形成されている。第２制御部７２は、第２アクチュエータ３６を制御することで、対物レンズ３４のトラッキングを制御可能に形成されている。
【００５７】
ガイド層制御部６４は、第３アクチュエータ４５を制御する第３制御部７３と、第４アクチュエータ４６を制御する第４制御部７４と、ガイド層高周波増幅器（ＲＦアンプ）７５と、ガイド層エラー信号生成部７６と、ガイド層再生信号生成部７７と、を備えている。
【００５８】
第３制御部７３は、第３アクチュエータ４５を制御することで、ガイド層レンズ４４のフォーカシングを制御可能に形成されている。第４制御部７４は、第４アクチュエータ４６を制御することで、ガイド層レンズ４４のトラッキングを制御可能に形成されている。ガイド層ＲＦアンプ７５は、受光素子４２で変換したレーザ光９８の信号を増幅可能に形成されている。
【００５９】
ガイド層エラー信号生成部７６は、第３制御部７３、第４制御部７４及びガイド層ＲＦアンプ７５に接続され、受光素子４２で受光したレーザ光９８の情報にエラー情報が含まれている場合には、当該情報からエラー信号を生成可能に形成されている。ガイド層再生信号生成部７７は、受光素子４２で受光したレーザ光９８の情報から、情報を再生する再生信号を生成可能に形成されている。なお、ガイド層再生信号生成部７７は、レーザ光９８の情報がエラー情報である場合には、再生信号を生成しない。
【００６０】
記録層制御部６５は、第５アクチュエータ５５を制御する第５制御部７９と、第６アクチュエータ５６を制御する第６制御部８０と、記録層高周波増幅器（ＲＦアンプ）８１と、記録層エラー信号生成部８２と、記録層再生信号生成部８３と、を備えている。
【００６１】
第５制御部７９は、第５アクチュエータ５５を制御することで、記録層レンズ５４のフォーカシングを制御可能に形成されている。第６制御部８０は、第６アクチュエータ５６を制御することで、記録層レンズ５４のトラッキングを制御可能に形成されている。記録層ＲＦアンプ８１は、受光素子５２で変換したレーザ光９９の情報を増幅可能に形成されている。
【００６２】
記録層エラー信号生成部８２は、第５制御部７９、第６制御部８０及び記録層ＲＦアンプ８１に接続され、受光素子５２で受光したレーザ光９９の情報にエラー情報が含まれている場合には、当該情報からエラー信号を生成可能に形成されている。記録層再生信号生成部８３は、受光素子５２で受光したレーザ光９９の情報から、再生信号を生成可能に形成されている。なお、記録層再生信号生成部８３は、レーザ光９９の情報がエラー情報である場合には、再生信号を生成しない。
【００６３】
信号バス６６は、スピンドルモータ制御部６１、送りモータ制御部６２、主制御部６７、第１制御部７１、第２制御部７２、第３制御部７３、第４制御部７４、ガイド層エラー信号生成部７６、ガイド層再生信号生成部７７、第５制御部７９、第６制御部８０、記録層エラー信号生成部８２、及び、記録層再生信号生成部８３を接続可能に形成されている。
【００６４】
主制御部６７は、信号バス６６を介して接続されたスピンドルモータ制御部６１、送りモータ制御部６２、第１制御部７１、第２制御部７２、第３制御部７３、第４制御部７４、ガイド層エラー信号生成部７６、ガイド層再生信号生成部７７、第５制御部７９、第６制御部８０、記録層エラー信号生成部８２、及び、記録層再生信号生成部８３の制御を行う。
【００６５】
具体的には、主制御部６７は、スピンドルモータ制御部６１及び送りモータ制御部６２を制御することで、多層光記録媒体１００を所定の回転数で回転させるとともに、対物レンズ３４を多層光記録媒体１００の記録又は再生を行う位置に移動させる。
【００６６】
主制御部６７は、ガイド層光源３７及び記録層光源４７を制御することで、レーザ光９８，９９の出射及び停止の制御を行う。
【００６７】
主制御部６７は、外部からの指令、並びに、ガイド層エラー信号生成部７６、ガイド層再生信号生成部７７、記録層エラー信号生成部８２及び記録層再生信号生成部８３から受信した信号に基づいて、第１制御部７１、第２制御部７２、第３制御部７３、第４制御部７４、第５制御部７９及び第６制御部８０を制御し、レーザ光９８，９９のフォーカシング及びトラッキングを行う。
【００６８】
また、主制御部６７は、受光素子４２，５２で受光した多層光記録媒体１００の情報を記憶可能、且つ、多層光記録媒体１００の機能を維持可能な、多層光記録媒体１００の反り量の情報である閾値Ｄを記憶する記憶部６７ａを有している。なお、多層光記録媒体１００の機能とは、例えば、情報の再生及び記録を行う機能であって、これら機能を許容可能な反り量の範囲が、閾値Ｄとして設定される。
【００６９】
主制御部６７は、以下の機能（１）乃至（４）を有している。  
（１）多層光記録媒体１００の記録層群１１２のいずれかに、トラック情報１５０を記録する機能。
【００７０】
（２）任意の位置Ｐ１乃至位置Ｐｎのいずれかで対物レンズ３４の校正を行う機能。
【００７１】
（３）任意の位置Ｐ１乃至位置Ｐｎにおける多層光記録媒体１００の反り量を測定する機能。
【００７２】
（４）記録されたトラック情報１５０と、測定した多層光記録媒体１００の反り量から多層光記録媒体１００の状態を判断する機能。
【００７３】
次に、これら機能（１）乃至（４）について説明する。  
機能（１）は、第２ガイド層１２２の符号Ｃｇの情報を受信し、符号Ｃｇから一意に導出される第１０記録層１４０のトラック位置の情報である符号Ｃｒを導出する。さらに言えば、第２ガイド層１２２の任意の位置Ｐ１乃至位置Ｐｎの所定の領域の複数の符号Ｃｇから、任意の位置Ｐ１乃至位置Ｐｎの所定の領域内の第１０記録層１４０のトラック位置の情報である複数の符号Ｃｒ１乃至複数の符号Ｃｒｎを導出する。導出した位置Ｐ１乃至位置Ｐｎの所定の領域内の符号Ｃｒ１乃至符号Ｃｒｎを、第１トラック情報１５１乃至第ｎトラック情報にそれぞれ記録する機能である。
【００７４】
また、機能（１）は、トラック情報１５０として、任意の位置Ｐ１乃至位置Ｐｎにおける符号Ｃｇ及び符号Ｃｒ１乃至符号Ｃｒからのレーザ光９８，９９の反射光量が最も大きくなるガイド層光学装置２３及び記録層光学装置２４の制御情報を求める。
【００７５】
即ち、制御情報として、所定の位置Ｐ１乃至位置Ｐｎにおける反射光量が最も大きくなる指令値である、第２ガイド層１２２の指令値Ｖｇ１乃至指令値Ｖｇｎ、第１０記録層１４０の指令値Ｖｒ１乃至指令値Ｖｒｎを導出する。機能（１）は、この導出した第２ガイド層１２２の指令値Ｖｇ１乃至指令値Ｖｇｎ、及び、第１０記録層１４０の指令値Ｖｒ１乃至指令値Ｖｒｎを、各所定の位置Ｐ１乃至位置Ｐｎの第１トラック情報１５１乃至第ｎトラック情報にそれぞれ記録する機能である。
【００７６】
機能（２）は、任意の位置Ｐｎ、例えば、最も反り量が小さい多層光記録媒体１００の最内側に位置する任意の位置Ｐ１におけるレーザ光９８，９９の照射位置に基づいて、ディスククランプ１１のチルト方向の傾斜（チルト傾斜）を校正した第２ガイド層１２２の指令値Ｖｇ１´及び第１０記録層１４０の指令値Ｖｒ１´を求める機能である。
【００７７】
具体的には、多層光記録媒体１００に記録された第１トラック情報１５１の符号Ｃｇ１及び符号Ｃｒ１の対応する一に、それぞれレーザ光９８，９９を照射し、最もレーザ光９８，９９の反射光量が大きくなる指令値Ｖｇ１´及び指令値Ｖｒ１´を求める。
【００７８】
位置Ｐ１における多層光記録媒体１００の反り量は最も小さいことから、反り量が略０と定義すると、位置Ｐ１における第１トラック情報１５１に記録された指令値Ｖｇ１及び指令値Ｖｒ１と、新たに求めた指令値Ｖｇ１´及び指令値Ｖｒ１´との差は、ディスククランプ１１のチルト傾斜となる。このため、指令値Ｖｇ１´及び指令値Ｖｒ１´は、チルト傾斜が校正された校正値となる。
【００７９】
機能（２）は、これら導出した指令値Ｖｇ１´及び指令値Ｖｒ１´を、ディスククランプ１１により支持した多層光記録媒体１００のチルト傾斜を考慮した指令値Ｖｇ１´及びＶｒ１´とし、チルト傾斜を校正した基準値とする機能である。なお、この求めた指令値Ｖｇ１´及び指令値Ｖｒ１´は、記憶部６７ａに記憶する。
【００８０】
機能（３）は、複数の任意の位置Ｐ２乃至位置Ｐｎにおける第２ガイド層１２２の指令値Ｖｇ２´乃至指令値Ｖｇｎ´及び第１０記録層１４４の指令値Ｖｒ２´乃至指令値Ｖｇｎ´を求め、位置Ｐ１における指令値Ｖｇ１´と、他の任意の位置Ｐ２乃至位置Ｐｎで求められた指令値Ｖｇ２´乃至指令値Ｖｇｎ´のそれぞれとの差分から第２ガイド層１２２の反り量ΔＶｇ´を求める機能である。また、同様に、機能（３）は、第１０記録層１４４の指令値Ｖｒ１´と、他の任意の位置Ｐ２乃至位置Ｐｎで求められた指令値Ｖｒ２´乃至指令値Ｖｒｎのそれぞれとの差分から、各位置Ｐｎでの第１０記録層１４０の反り量ΔＶｒｎ´を求める機能である。
【００８１】
なお、各位置Ｐｎでの反り量ΔＶｇｎ´は、  
ΔＶｇｎ´＝Ｖｇｎ´−Ｖｇ１´  
により求められる。
【００８２】
また、各位置Ｐｎにおける反り量ΔＶｒ´は、  
ΔＶｒｎ´＝Ｖｒｎ´−Ｖｒ１´  
により求められる。
【００８３】
また、機能（３）は、同様に、トラック情報１５０の導出時のトラック情報１５０の記録時の第２ガイド層１２２の指令値Ｖｇ１乃至指令値Ｖｇｎ、並びに、第１０記録層１４０の指令値Ｖｒ１乃至指令値Ｖｒｎから、第２ガイド層１２２の反り量ΔＶｇｎ、並びに、第１０記録層１４０の反り量ΔＶｒｎを求める機能である。
【００８４】
なお、ここで、指令値Ｖｇｎ及び指令値Ｖｇｎ´、指令値Ｖｒｎ及び指令値Ｖｒｎ´、反り量ΔＶｇ及び反り量ΔＶｇ´、並びに、反りΔＶｒｎ及び反り量ΔＶｒｎ´等の違いは、前者が多層光記録媒体１００の記録層群１１２のいずれかにトラック情報１５０を記録したときの各値を、後者が記録層群１１２のいずれかにトラック情報１５０が記録されている多層光記録媒体１００から導出した各値を、それぞれ示している。
【００８５】
機能（４）は、機能（１）で多層光記録媒体１００に記録されたトラック情報１５０と、機能（２）及び機能（３）により新たに求められた多層光記録媒体１００の任意の位置Ｐｎにおける指令値Ｖｇｎ´及び指令値Ｖｒｎ´から反り量ΔＶｇｎ´及び任意の位置Ｐｎにおける反り量ΔＶｒｎ´を求める。この新たに求めた反り量ΔＶｇｎ´、ΔＶｒｎ´と、トラック情報１５０からもとめられる反り量ΔＶｇｎ、ΔＶｒｎから、経年変化による第２ガイド層１２２の反り量ｄＶｇｎ及び第１０記録層１４０の反り量ｄＶｒｎを求める機能である。
【００８６】
なお、経年変化による第２ガイド層１２２の反り量ｄＶｇｎは、  
ｄＶｇｎ＝ΔＶｇｎ´−ΔＶｇｎ  
により求められる。
【００８７】
また、経年変化による第１０記録層１４０の反り量ｄＶｒｎは、  
ｄＶｇｎ＝ΔＶｇｎ´−ΔＶｇｎ  
により求められる。これら反り量ｄＶｇｎ及び反り量ｄＶｒｎは、経年変化により発生する第２ガイド層１２２及び第１０記録層の反り量の変化量である。
【００８８】
また、機能（４）は、この求めた経年変化による反り量ｄＶｇｎ、ｄＶｒｎが、多層光記録媒体１００の機能を維持可能な反り量であるか否かを、記憶部６７ａに記憶された当該機能を維持可能な反り量の閾値Ｄから判断する機能である。
【００８９】
（トラック情報１５０の記録方法）
次に、上記機能（１）である、多層光記録媒体１００の記録層群１１２の第１０記録層１４０に、トラック情報１５０を記録する方法を、以下、図５の流れ図を用いて説明する。
【００９０】
先ず、外部等からの指示により、多層光記録媒体１００のトラック情報１５０を記録する複数の任意の位置Ｐ１乃至位置Ｐｎ、例えば、位置Ｐ１乃至位置Ｐ３が設定されると（ステップＳＴ１１）、主制御部６７は、スピンドル装置３により多層光記録媒体１００を回転させる。また、主制御部６７は、多層光記録媒体１００の最内側に位置する位置Ｐ１に、送りモータ制御部６２を制御して、対物レンズ３４を任意の位置Ｐ１に移動させる（ステップＳＴ１２）。
【００９１】
主制御部６７は、任意の位置Ｐ１に対物レンズ３４を移動後、対物レンズ３４のフォーカシング制御（ステップＳＴ１３）及びトラッキング制御（ステップＳＴ１４）を行う。具体的には、主制御部６７は、第１制御部７１、第２制御部７２及びガイド層光源３７を制御し、対物レンズ３４を駆動するとともに、ガイド層群１１１の例えば第２ガイド層１２２に、レーザ光９８を追従させる。
【００９２】
次に、主制御部６７は、第２ガイド層１２２に反射されたレーザ光９８の受光信号に基づいて第４制御部７４を制御し、ガイド層レンズ４４のトラッキング制御を行う。主制御部６７は、第４制御部７４を制御することで、第２ガイド層１２２で反射されたレーザ光９８が最大となるガイド層レンズ４４の位置を導出し、任意の位置Ｐ１でのトラッキング制御においてレーザ光９８が最大となる指令値Ｖｇ１を導出する（ステップＳＴ１５）。
【００９３】
次に、図３に示すように、主制御部６７は、任意の位置Ｐ１の所定の領域２００におけるトラックの位置を表す符号Ｃｇを導出する（ステップＳＴ１６）。
【００９４】
次に、主制御部６７は、第１０記録層１４４で反射したレーザ光９９の受光信号に基づいて第６制御部８０を制御し、記録層レンズ５４のトラッキング制御を行う。主制御部６７は、第６制御部８０を制御することで、第１０記録層１４０から反射されたレーザ光９９が最大となる記録層レンズ５４の位置を導出し、任意の位置Ｐ１での、トラッキング制御においてレーザ光９９が最大となる指令値Ｖｒ１を導出する（ステップＳＴ１７）。
【００９５】
次に、主制御部６７は、記憶部６７ａに記憶された位置Ｐ１の所定の領域２００における第２ガイド層１２２の複数の符号Ｃｇから、一意に導出される第１０記録層１４０の符号Ｃｒ１を導出する（ステップＳＴ１８）。
【００９６】
なお、符号Ｃｒ１は、例えば、符号Ｃｇのそれぞれのトラックに対応する整数である。例えば、図３に示すように、任意の位置Ｐ０の所定の範囲の符号Ｃｇが２１〜２７である場合には、当該符号Ｃｇの１桁目の整数である１〜７を符号Ｃｒ１として導出する。
【００９７】
次に、主制御部６７は、任意の位置Ｐ１で求められた第２ガイド層１２２の指令値Ｖｇ１、第１０記録層１４０の指令値Ｖｒ１及び符号Ｃｒ１を、第１０記録層１４０の任意の位置Ｐ１の所定の領域に記録する（ステップＳＴ１９）。これらの工程により、任意の位置Ｐ１において、第１トラック情報１５１が記録される。
【００９８】
次に主制御部６７は、全ての位置Ｐ１乃至位置Ｐ３にトラック情報１５０が記録されたか否かの判断を行う（ステップＳＴ２０）。全ての位置Ｐ１乃至位置Ｐ３にトラック情報１５０が記録されていない場合（ステップＳＴ２０のＮＯ）には、ステップＳＴ１２に戻り、主制御部６７は、次の任意の位置Ｐｎに対物レンズ３４を移動させ、以下ステップＳＴ１３以降の処理を繰り返す。例えば、位置Ｐ１乃至位置Ｐ３にトラック情報１５０が記録されていない場合であって、位置Ｐ１に第１トラック情報１５１が記録された場合には、主制御部６７は対物レンズ３４を次の任意の位置Ｐ２に移動させ（ステップＳＴ１２）、ステップＳＴ１３以降の処理を行う。
【００９９】
位置Ｐ１乃至位置Ｐ３の全てにトラック情報１５０を記録した場合（ステップＳＴ２０のＹＥＳ）には、主制御部６７は、トラック情報１５０の記録を終了する。このようにして、多層光記録媒体１００の設定された位置Ｐ１乃至位置Ｐ３にトラック情報１５０が記録される。
【０１００】
なお、この記録方法において求めた指令値Ｖｇ１乃至指令値Ｖｇｎ及び指令値Ｖｒ１乃至指令値Ｖｇｒｎ及び主制御部６７の機能（３）から、トラック情報１５０の記録時の多層光記録媒体１００の第２ガイド層１２２の反り量ΔＶｇ、並びに、第１０記録層１４０の反り量ΔＶｒが求められる。主制御部６７は、この反り量ΔＶｇ、ΔＶｒを、第１０記録層１４０に、トラック情報１５０とともに記録させてもよい。
【０１０１】
（多層光記録媒体１００の反り量の検出方法）
次に、上記機能（２）乃至機能（４）である、経年変化による多層光記録媒体１００の反り量、即ち、第２ガイド層１２２の反り量ｄＶｇｎ及び第１０記録層１４０の反り量ｄＶｒｎの検出方法を、以下、図６の流れ図を用いて説明する。
【０１０２】
先ず、主制御部６７は、ディスククランプ１１に支持された多層光記録媒体１００を回転させる。次に、主制御部６７は、多層光記録媒体１００の記録層群１１２の第１０記録層１４０に記録されているトラック情報１５０から、多層光記録媒体１００のトラック情報１５０が記録された検出位置である位置Ｐ１乃至位置Ｐｎ、ここでは位置Ｐ１乃至位置Ｐ３を導出する（ステップＳＴ３１）。
【０１０３】
次に主制御部６７は、送りモータ制御部６２を制御して、多層光記録媒体１００の最内側に位置する位置Ｐ１に対物レンズ３４を対向させる（ステップＳＴ３２）。
【０１０４】
主制御部６７は、位置Ｐ１に対物レンズ３４を移動後、対物レンズ３４のフォーカシング制御（ステップＳＴ３３）及びトラッキング制御（ステップＳＴ３４）を行う。具体的には、主制御部６７は、第１制御部７１及び第２制御部７２を制御して対物レンズ３４を駆動し、第２ガイド層１２２にこの時点で対象の符号Ｃｇｎである符号Ｃｇ１に対応するトラックにレーザ光９８を追従させる。
【０１０５】
次に、主制御部６７は、第２ガイド層１２２で反射したレーザ光９８の受光信号に基づいて第４制御部７４を制御し、ガイド層レンズ４４のトラッキング制御を行う。主制御部６７は、第４制御部７４を制御することで、第２ガイド層１２２から反射されたレーザ光９８が最大となるガイド層レンズ４４の位置を導出し、位置Ｐ１でのトラッキング制御においてレーザ光９８が最大となる指令値Ｖｇｎ´である指令値Ｖｇ１´を導出する（ステップＳＴ３５）。
【０１０６】
これにより、位置Ｐ１において、ディスククランプ１１のチルト傾斜を考慮した校正値である第２ガイド層１２２の指令値Ｖｇ１´が求められる。また、主制御部６７は、この第２ガイド層１２２の指令値Ｖｇ１´を、記憶部６７ａに記憶する。
【０１０７】
次に、主制御部６７は、位置Ｐ１の所定の領域２００におけるラック数が割り振られた符号Ｃｇ１を導出し、記憶部６７ａに記憶する（ステップＳＴ３６）。
【０１０８】
次に、主制御部６７は、符号Ｃｇ１を照合し、第１トラック情報１５１に記録された符号Ｃｒ１のうち第２ガイド層１２２の符号Ｃｇ１に対応する一の符号を導出する（ステップＳＴ３７）。例えば、符号Ｃｇ１のうち、指令値Ｖｇ１´を求めた符号が２３である場合には、主制御部６７は、当該符号Ｃｇ１に対応する符号Ｃｒ１が３であると判断し、Ｃｒ１＝３を導出する。
【０１０９】
次に、主制御部６７は、導出された符号Ｃｒ１のいずれかにおいて、第１０記録層１４０からの反射したレーザ光９９の受光信号に基づいて第６制御部８０を制御し、記録層レンズ５４のトラッキング制御を行う。主制御部６７は、第６制御部８０を制御することで、ここで対象となる符号Ｃｒｎである符号Ｃｒ１が記録されたトラックにレーザ光９９を追従させた状態の指令値Ｖｒｎ´である指令値Ｖｒ１´を導出する（ステップＳＴ３８）。
【０１１０】
これにより、任意の位置Ｐ１において、ディスククランプ１１のチルト傾斜を考慮した校正値である第２ガイド層１２２の指令値Ｖｇ１´及び第１０記録層１４０の指令値Ｖｒ１´が求められる。主制御部６７は、導出された第２ガイド層１２２の指令値Ｖｇ１´及び第１０記録層１４０の指令値Ｖｒ１´を記憶部６７ａに記憶する。
【０１１１】
なお、主制御部６７は、符号Ｃｇ１の一及び符号Ｃｇ１の一に対応する符号Ｃｒ１に追従した状態で、反射するレーザ光９８，９９が読み取れない場合等、第２ガイド層１２２の指令値Ｖｇ及び第１０記録層１４０の指令値Ｖｒ１´が許容値を超えていた場合には、多層光記録媒体１００の機能損失又はドライブ装置１の故障による、許容可能な光軸のずれを超えていると判断する。
【０１１２】
次に主制御部６７は、任意の位置Ｐ１乃至位置Ｐ３の全てにおいて、第２ガイド層１２２の指令値Ｖｇｎ´（指令値Ｖｇ１´乃至指令値Ｖｇ３´）及び第１０記録層１４０の指令値Ｖｒｎ´（指令値Ｖｒ１´乃至指令値Ｖｒ３´）が導出されたか否かの判断を行う（ステップＳＴ３９）。全ての任意の位置Ｐ１乃至位置Ｐ３で指令値Ｖｒｎ´，Ｖｇｎ´が導出されていない場合（ステップＳＴ３９のＮＯ）には、ステップＳＴ３２に戻り、対物レンズ３４を、次の任意の位置Ｐ２に移動させ、以下ステップＳＴ３３以降の処理を繰り返し、指令値Ｖｇ２´及び指令値Ｖｒ２´を導出するとともに、各位置Ｐ２乃至位置Ｐｎの全ての指令値Ｖｇｎ´及び指令値Ｖｒｎを導出するまで繰り返す。
【０１１３】
複数の任意の位置Ｐ１乃至位置Ｐｎの全てにおいて第２ガイド層１２２の指令値Ｖｇ´及び第１０記録層１４０の指令値Ｖｒ´が導出された場合（ステップＳＴ３９のＹＥＳ）には、主制御部６７は、多層光記録媒体１００の反り量ΔＶｇ´、ΔＶｒ´を導出する（ステップＳＴ４０）。
【０１１４】
具体的には、主制御部６７は、トラック情報１５０に記録された指令値Ｖｇ１乃至指令値Ｖｇｎ及び指令値Ｖｒ１乃至指令値Ｖｒｎから、トラック情報１５０の記録時の多層光記録媒体１００の第２ガイド層１２２の反り量ΔＶｇ、並びに、第１０記録層１４４の反り量ΔＶｒを導出する。
【０１１５】
また、主制御部６７は、導出した指令値Ｖｇ１´乃至指令値Ｖｇｎ´及び指令値Ｖｒ１´乃至指令値Ｖｇｒｎ´から、トラック情報１５０の反り量検出時の多層光記録媒体１００の第２ガイド層１２２の反り量ΔＶｇ´、並びに、第１０記録層１４０の反り量ΔＶｒ´を導出する。
【０１１６】
次に、主制御部６７は、トラック情報１５０に記録された第２ガイド層１２２の反り量ΔＶｇ及び第１０記録層１４０の反り量ΔＶｒｎ、並びに、導出した第２ガイド層１２２の反り量ΔＶｇ´及び第１０記録層１４０の反り量ΔＶｒｎ´から、経年変化による第２ガイド層１２２の反り量ｄＶｇｎ及び第１０記録層１４０の反り量ｄＶｒｎを導出する。
【０１１７】
次に、主制御部６７は、記憶部６７ａに記憶された、多層光記録媒体１００の機能を維持可能な反り量である閾値Ｄと、導出された経年変化による各位置Ｐｎでの第２ガイド層１２２の反り量ｄＶｇｎ及び第１０記録層１４０の反り量ｄＶｒｎをそれぞれ比較する（ステップＳＴ４１）。
【０１１８】
各位置Ｐｎでの第２ガイド層１２２の反り量ｄＶｎ及び第１０記録層１４０の反り量ｄＶｒの全てが、反り量の閾値Ｄ内である場合（ステップＳＴ４１のＹＥＳ）には、主制御部６７は、経年変化による多層光記録媒体１００の反り（反り量）が、多層光記録媒体１００の機能が維持される許容可能な範囲内であると判断する（ステップＳＴ４２）。
【０１１９】
第２ガイド層１２２の反り量ｄＶｇｎ及び第１０記録層１４０の反り量ｄＶｒｎの少なくとも一方が、反り量の閾値Ｄを超える場合（ステップＳＴ４１のＮＯ）には、主制御部６７は、多層光記録媒体１００の反り量が、許容範囲を超えており、多層光記録媒体１００の使用が不可であると判断する（ステップＳＴ４３）。なお、これら多層光記録媒体１００の反り量の判断結果を、主制御部６７は、例えば、主制御部６７に接続されたドライブ装置１とは異なるシステムや表示部等に通知し、使用者に報知する。
【０１２０】
これらの処理により、経年変化による多層光記録媒体１００の第２ガイド層１２２の反り量ｄＶｇｎ及び第１０記録層１４０の反り量ｄＶｒｎが検出され、多層光記録媒体１００の使用の可否が判断される。
【０１２１】
このように構成された多層光記録媒体１００及びドライブ装置１によれば、多層光記録媒体１００の記録層群１１２のいずれかの記録層であって、任意の位置Ｐ１乃至位置Ｐｎに記録されたトラック情報１５０に応じて、経年変化前後の多層光記録媒体１００の物理的な反り量を導出することが可能となる。
【０１２２】
また、多層光記録媒体１００は、物理的な反り量を別途検査装置等により測定することなく、多層光記録媒体１００に設けられるガイド層群１１１及び記録層群１１２の情報から、ドライブ装置１によりその反り量を検出することが可能となる。このため、例えば、別途反り量を検出可能な装置を用いることなく、多層光記録媒体１００の記録及び再生を行うドライブ装置１により、反り量を検出可能となり、使用性を向上させることが可能となる。
【０１２３】
上述したように本実施形態に係る多層光記録媒体１００、ドライブ装置１及び多層光記録媒体１００の反り量の検査方法によれば、多層光記録媒体１００の反り量を検出可能となる。
【０１２４】
なお、本実施形態の多層光記録媒体１００、ドライブ装置１及び多層光記録媒体１００の反り量の検査方法は、上述した構成に限定されない。例えば、上述した例では、多層光記録媒体１００は、ドライブ装置１によりトラック情報１５０を記録し、その後、多層光記録媒体１００の反り量を導出する構成を説明したがこれに限定されない。
【０１２５】
例えば、多層光記録媒体１００の製造時に、予めトラック情報１５０を記録させておき、ドライブ装置１においては、反り量の検出のみを行う構成であってもよい。このような構成の多層光記録媒体１００とすることで、製造時からの反り量を検出することが可能となる。また、ドライブ装置１は、記録可能な機能を有さず、再生機能のみを有するものであってもよく、再生機能のみを有するドライブ装置１であっても、多層光記録媒体１００の反り量を検出することが可能となる。また、ドライブ装置１は、再生機能を有さず、トラック情報１５０を記録可能な機能のみを有する構成であってもよい。
【０１２６】
また、上述した例では、経年変化により発生する反り量の変化量である、第２ガイド層１２２の反り量ｄＶｇｎ及び第１０記録層１４０の反り量ｄＶｒｎを求め、これら反り量ｄＶｇｎ及び反り量ｄＶｒｎを閾値Ｄと比較して、多層光記録媒体１００の経年変化により発生する反りが許容可能であるか否かを判断する構成を説明したがこれに限定されない。
【０１２７】
例えば、ドライブ装置１で導出した第２ガイド層１２２の反り量ΔＶｇ´、並びに、第１０記録層１４０の反り量ΔＶｒ´を、閾値Ｄと比較する構成であってもよい。また、第２ガイド層１２２の指令値Ｖｇ１´乃至指令値Ｖｇｎ´、並びに、第１０記録層１４０の指令値Ｖｒ１´乃至指令値Ｖｒｎ´を、閾値Ｄと比較する構成であってもよい。
【０１２８】
また、上述した例では、閾値Ｄを記憶部６７ａに有する構成を説明したがこれに限定されない。
【０１２９】
例えば、多層光記録媒体１００の製造時に、予めガイド層群１１１のいずれか１層のガイド層上の所定の位置に記録しておき、反り検出開始時に読み取りを行う構成であっても良い。このような構成の多層光記録媒体１００とすることで、多層光記録媒体１００の材料等に応じて、許容可能な反り量の閾値を個別に設定することが可能となる。
【０１３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願の当初の特許請求の範囲に記載された発明を付記する。
［１］  基板と、
前記基板に設けられ、径方向の位置情報が記録された、光学装置から照射されたレーザ光を反射する複数のガイド層を有するガイド層群と、
前記基板に設けられ、情報の記録が可能、且つ、前記光学装置から照射されたレーザ光を反射する複数の記録層を有するとともに、前記記録層の前記径方向の複数の位置に、前記ガイド層に記録された前記位置情報と対応する前記記録層の位置情報、並びに、前記径方向の複数の位置において前記ガイド層及び前記記録層の前記レーザ光の反射光量が最大となる前記光学装置の制御情報が記録された記録層群と、
を備えることを特徴とする多層光記録媒体。
［２］  前記基板は、その中心に、前記基板を回転させるスピンドル装置に回転可能に支持されるクランプ部を備え、
前記記録層に記録される前記位置情報及び前記制御情報の一は、前記記録層の前記クランプ部に隣接する位置に記録されることを特徴とする［１］に記載の多層光記録媒体。
［３］  基板に設けられ、径方向の位置情報が記録された複数のガイド層を有するガイド層群、及び、前記基板に設けられ、情報を記録可能な複数の記録層を有する多層光記録媒体を回転させるスピンドル装置と、
前記スピンドル装置により回転する前記多層光記録媒体と対向する対物レンズ、前記対物レンズを前記径方向の任意の位置に駆動する駆動手段、前記ガイド層及び前記記録層にそれぞれ供給される異なる波長のレーザ光を出射する供給源、前記ガイド層及び前記記録層で反射された前記レーザ光を受光する受光素子、並びに、前記レーザ光を前記対物レンズ及び前記受光素子に案内するとともに、前記レーザ光のフォーカシング及びトラッキングが可能なレンズ装置を具備する光学装置と、
前記光学装置により前記レーザ光を前記記録層に照射することで前記ガイド層及び前記記録層に照射された前記レーザ光の反射光により前記ガイド層及び前記記録層に記録された情報の再生が可能に形成され、前記ガイド層に記憶された前記位置情報を再生するとともに、前記記録層の前記径方向の複数の位置における、前記ガイド層に記録された前記位置情報と対応する前記記録層の位置情報、並びに、前記複数の位置において前記ガイド層及び前記記録層の前記レーザ光の反射光量が最大となる前記光学装置の制御情報を導出する制御装置と、
を備えることを特徴とするドライブ装置。
［４］  前記制御装置は、前記導出された前記径方向の複数の位置における前記制御情報の差から、前記多層光記録媒体の反り量を導出することを特徴とする［３］に記載のドライブ装置。
［５］  前記制御装置は、前記多層光記録媒体の再生及び記録な反り量の閾値が記憶された記憶部を備え、
前記制御部は、導出された前記反り量及び前記閾値を比較し、前記反り量が前記閾値の範囲内であるときは、前記多層光記録媒体の反り量が前記多層光記録媒体の再生及び記録可能な反り量であると判断することを特徴とする［４］に記載のドライブ装置。
［６］  前記制御装置は、
前記光学装置により前記レーザ光を前記記録層に照射することで、前記記録層に情報を記録可能に形成され、
前記導出された前記記録層の前記位置情報及び前記制御情報を、前記光学装置により前記記憶層の前記径方向の複数の位置にそれぞれ記録することを特徴とする［３］に記載のドライブ装置。
［７］  前記制御装置は、前記記録層に記録された複数の前記制御情報の差から、前記多層光記録媒体の反り量を導出することを特徴とする［６］に記載のドライブ装置。
［８］  前記制御装置は、
前記ガイド層及び前記記録層に記録された前記位置情報を再生するときに、前記ガイド層で前記レーザ光の反射光量が最大となる前記光学装置の制御情報を前記複数の位置においてそれぞれ導出し、
前記位置情報を再生するときに導出した複数の前記制御情報の差から、前記多層光記録媒体の反り量を導出し、
前記記録層に記録された複数の前記制御情報の差から導出した前記多層光記録媒体の反り量と前記位置情報を再生するときに導出した前記多層光記録媒体の反り量から、前記反り量の変化量を導出することを特徴とする［７］に記載のドライブ装置。
［９］  前記多層光記録媒体の再生及び記録が可能な反り量の閾値が記憶された記憶部を備え、
前記制御部は、導出した前記反り量の変化量及び前記閾値を比較し、前記反り量の変化量が前記閾値の範囲内であるときは、前記多層光記録媒体の再生及び記録が可能と判断することを特徴とする［８］に記載のドライブ装置。
［１０］  基板に設けられ、径方向の位置情報が記録されるとともに、光学装置から照射されたレーザ光を反射することで、記録された前記位置情報の再生が可能な複数のガイド層を有するガイド層群、並びに、前記基板に設けられ、情報の記録が可能な複数の記録層を有するとともに、前記記録層の前記径方向の複数の位置に、前記ガイド層に記録された前記径方向の位置情報と対応する前記記録層の位置情報、及び、前記径方向の複数の位置において前記ガイド層及び前記記録層の前記レーザ光の反射光量が最大となる前記光学装置の制御情報が記録された記録層群を具備する多層光記録媒体をスピンドル装置により回転させること、
基板に設けられ、径方向の位置情報が記録されるとともに、光学装置から照射されたレーザ光を反射することで、記録された前記位置情報の再生が可能な複数のガイド層を有するガイド層群、及び、前記基板に設けられ、情報を記録可能な複数の記録層を有する多層光記録媒体をスピンドル装置により回転させること、
前記光学装置により前記記録層に照射した前記レーザ光の反射光により、前記位置情報を再生すること、
前記記録層の前記径方向の複数の位置における、前記ガイド層に記録された前記位置情報と対応する前記記録層の位置情報、並びに、前記複数の位置において前記ガイド層の前記レーザ光の反射光量が最大となる前記光学装置の制御情報を導出すること、
導出した前記複数の位置の前記制御情報の差から、前記多層光記録媒体の反り量を導出すること、及び
前記多層光記録媒体の再生及び記録が可能な反り量の閾値が記憶された記憶部を備え、
前記制御部は、導出した前記反り量の変化量及び前記閾値を比較し、前記反り量の変化量が前記閾値の範囲内であるときは、前記多層光記録媒体の再生及び記録が可能と判断する、
ことを特徴とする多層光記憶媒体の検査方法。
【符号の説明】
【０１３１】
１…ドライブ装置、３…スピンドル装置、４…光学装置、５…制御装置、１１…ディスククランプ、１２…スピンドルモータ、１３…ロータリーエンコーダ、２１…送り装置、２２…対物レンズ装置、２３…ガイド層光学装置、２４…記録層光学装置、２５…ダイクロイックミラー、４０…ガイド層レンズ装置、５０…記録層レンズ装置、６７…主制御部、６７ａ…記憶部、９８，９９…レーザ光、１００…多層光記録媒体、１０１…クランプ部、１０２…記録領域、１１０…基板、１１１…ガイド層群、１１２…記録層群、１１３…カバー層、１５０…トラック情報、２００…所定の領域。
【図１】
0005646531.tif 000002
【図２】
0005646531.tif 000003
【図３】
0005646531.tif 000004
【図４】
0005646531.tif 000005
【図５】
0005646531.tif 000006
【図６】
0005646531.tif 000007